(57)【特許請求の範囲】
【請求項１】
ページ構造を有し、画像部品を含む印刷物のジョブの基になるジョブデータを作成する印刷ジョブ作成装置において、
前記画像部品のデータファイルである部品ファイルのファイル名における所定の文字位置に、前記画像部品の含まれるページのページ番号が含まれるものであり、
前記文字位置を指定するための文字位置指定手段と、
指定された前記文字位置を参照して部品ファイルのファイル名からページ番号を取得するページ番号取得手段と、
前記ジョブにおける前記ページ番号のページに、前記部品ファイルを関連付けることによって前記ジョブデータを作成する関連付け手段と、
前記ジョブのジョブ名を指定するジョブ名指定手段と、
を備え、
前記関連付けが、指定されたジョブ名に対応するジョブ記憶領域内の前記ページ番号に対応するページ記憶領域への保存であり、当該保存により前記ジョブ記憶領域に前記ジョブデータが作成されることを特徴とする印刷ジョブ作成装置。
【請求項２】
請求項１に記載の印刷ジョブ作成装置であって、さらに、
前記ジョブデータにおける台紙領域中での仕上りページの位置のオフセットを指定するオフセット指定手段と、
指定された前記オフセットを基に、前記部品ファイルに対応する画像部品の前記台紙領域内での配置位置を指定する位置指定ファイルを生成する位置指定ファイル生成手段と、
を備え、
前記関連付け手段が、得られた前記位置指定ファイルを前記ジョブにおける前記ページ番号のページに関連付けるものであることを特徴とする印刷ジョブ作成装置。
【請求項３】
請求項２に記載の印刷ジョブ作成装置であって、
単一のページに複数の部品ファイルが含まれるとともに、当該複数の部品ファイルに、前記仕上りページ全体を占める画像部品のデータファイルであるページ部品ファイルと、前記仕上りページ内の一部を占める画像部品のデータファイルである部分部品ファイルとが含まれる場合に、当該部分部品ファイルに対応する画像部品の前記ページにおける配置位置を指定する位置ファイルを有し、
前記位置ファイルのファイル名における前記所定の文字位置にもページ番号が含まれるものであり、
前記ページ番号取得手段が、指定された前記文字位置を参照して前記位置ファイルのファイル名からもページ番号を取得するものであり、
前記位置指定ファイル生成手段が、さらに、前記位置ファイルにも基づいて、前記ページ番号のページにおける前記位置指定ファイルを生成するものであることを特徴とする印刷ジョブ作成装置。
【請求項４】
ページ構造を有し、画像部品を含む印刷物のジョブの基になるジョブデータを作成する印刷ジョブ作成方法において、
前記画像部品のデータファイルである部品ファイルのファイル名における所定の文字位置に、前記画像部品の含まれるページのページ番号が含まれるものであり、
前記文字位置を指定するための文字位置指定工程と、
指定された前記文字位置を参照して部品ファイルのファイル名からページ番号を取得するページ番号取得工程と、
前記ジョブにおける前記ページ番号のページに、前記部品ファイルを関連付けることによって前記ジョブデータを作成する関連付け工程と、
前記ジョブのジョブ名を指定するジョブ名指定工程と、
を備え、
前記関連付けが、指定されたジョブ名に対応するジョブ記憶領域内の前記ページ番号に対応するページ記憶領域への保存であり、当該保存により前記ジョブ記憶領域に前記ジョブデータが作成されることを特徴とする印刷ジョブ作成方法。
【請求項５】
ページ構造を有し、画像部品を含む印刷物のジョブの基になるジョブデータをコンピュータによって作成するためのプログラムを記録した記録媒体において、
前記画像部品のデータファイルである部品ファイルのファイル名における所定の文字位置に、前記画像部品の含まれるページのページ番号が含まれるものであり、
前記文字位置を指定するための文字位置指定機能と、
指定された前記文字位置を参照して部品ファイルのファイル名からページ番号を取得するページ番号取得機能と、
前記ジョブにおける前記ページ番号のページに、前記部品ファイルを関連付けることによって前記ジョブデータを作成する関連付け機能と、
前記ジョブのジョブ名を指定するジョブ名指定機能と、
を実現させるプログラムを記録しており、
前記関連付けが、指定されたジョブ名に対応するジョブ記憶領域内の前記ページ番号に対応するページ記憶領域への保存であり、当該保存により前記ジョブ記憶領域に前記ジョブデータが作成されることを特徴とするコンピュータ読み取り可能な記録媒体。
【請求項６】
請求項５に記載の記録媒体であって、
前記ジョブデータにおける台紙領域中での仕上りページの位置のオフセットを指定するオフセット指定機能と、
指定された前記オフセットを基に、前記部品ファイルに対応する画像部品の前記台紙領域内での配置位置を指定する位置指定ファイルを生成する位置指定ファイル生成機能と、
を実現させるプログラムを記録しており、
前記関連付け機能が、得られた前記位置指定ファイルを前記ジョブにおける前記ページ番号のページに関連付けるものであることを特徴とする記録媒体。
【請求項７】
請求項６に記載の記録媒体であって、
単一のページに複数の部品ファイルが含まれるとともに、当該複数の部品ファイルに、ページ全体を占める画像部品のデータファイルであるページ部品ファイルと、ページ内の一部を占める画像部品のデータファイルである部分部品ファイルとが含まれる場合に、当該部分部品ファイルに対応する画像部品の前記ページにおける配置位置を指定する位置ファイルを有し、
前記位置ファイルのファイル名における前記所定の文字位置にもページ番号が含まれるものであり、
前記ページ番号取得機能が、指定された前記文字位置を参照して前記位置ファイルのファイル名からもページ番号を取得するものであり、
前記位置指定ファイル生成機能が、さらに、前記位置ファイルにも基づいて、前記ページ番号のページにおける前記位置指定ファイルを生成するものであることを特徴とする記録媒体。
【発明の詳細な説明】
【０００１】
【発明の属する技術分野】
この発明は、ページ構造を有し、画像部品を含む印刷物のジョブの基になるジョブデータを作成する印刷ジョブ作成装置、印刷ジョブ作成方法および記録媒体に関する。
【０００２】
【従来の技術】
従来から、印刷依頼者から持ち込まれたページ構造を有するドキュメントデータのファイルを、印刷業者が受け取って印刷システムによって製版・印刷することが行われている。そのようなドキュメントデータを印刷するために、印刷業者はそれらを必要に応じてファイル変換を行って取り込み印刷するジョブを印刷システムに投入する。すると、そのジョブが印刷システムによって実行されて、印刷物が生成される。
【０００３】
ところで、ドキュメントデータには線画や絵柄等の画像部品を含むものがある。そのような画像部品のデータが、ページといった概念を有さないデータ形式である場合には、ドキュメントデータをファイル変換した際にドキュメントデータとの関連付けが失われ、それらの画像部品データファイルはそれぞれバラバラに印刷システムに入力される。そのような場合に、印刷システムが面付けを行うことができるようなシステムであれば、各ページに対応する画像部品を貼り付ける作業、実際には画像部品データを各ページのディレクトリに振り分け保存する振り分け処理をオペレーターが別途行う必要がある。その際、オペレーターは画像部品データファイルを開いて確認し、その画像部品がどのページに貼り付けられるべきかを判断して、振り分け処理を行う必要がある。
【０００４】
【発明が解決しようとする課題】
上記振り分け処理は、全体のページ数が少なければ大きな労力を必要としないが、数百ページに及ぶ書物等の印刷においては非常に煩雑な作業となり、オペレーターの負担が大きくなっていた。
【０００５】
また、このような振り分け処理は、複数種の画像部品データファイルが存在する場合、例えば、線画ファイルおよび絵柄ファイルが存在するなどの場合には、さらにページにおける各画像部品データファイルの位置関係を記述した部品位置データファイルが加わり、一層取り扱うファイル数が増え、より作業が煩雑になり、オペレーターの作業負担も一層大きくなっていた。
【０００６】
この発明は、従来技術における上述の問題の克服を意図しており、振り分け処理に関する作業負担を軽減することができる印刷ジョブ作成装置、印刷ジョブ作成方法および記録媒体を提供することを目的とする。
【０００７】
【課題を解決するための手段】
上記の目的を達成するため、請求項１の発明は、ページ構造を有し、画像部品を含む印刷物のジョブの基になるジョブデータを作成する印刷ジョブ作成装置であって、前記画像部品のデータファイルである部品ファイルのファイル名における所定の文字位置に、前記画像部品の含まれるページのページ番号が含まれるものであり、前記文字位置を指定するための文字位置指定手段と、指定された前記文字位置を参照して部品ファイルのファイル名からページ番号を取得するページ番号取得手段と、前記ジョブにおける前記ページ番号のページに、前記部品ファイルを関連付けることによって前記ジョブデータを作成する関連付け手段と、前記ジョブのジョブ名を指定するジョブ名指定手段と、を備え、前記関連付けが、指定されたジョブ名に対応するジョブ記憶領域内の前記ページ番号に対応するページ記憶領域への保存であり、当該保存により前記ジョブ記憶領域に前記ジョブデータが作成される。
【０００９】
また、請求項２の発明は、請求項１に記載の印刷ジョブ作成装置であって、さらに、前記ジョブデータにおける台紙領域中での仕上りページの位置のオフセットを指定するオフセット指定手段と、指定された前記オフセットを基に、前記部品ファイルに対応する画像部品の前記台紙領域内での配置位置を指定する位置指定ファイルを生成する位置指定ファイル生成手段と、を備え、前記関連付け手段が、得られた前記位置指定ファイルを前記ジョブにおける前記ページ番号のページに関連付けるものである。
【００１０】
また、請求項３の発明は、請求項２に記載の印刷ジョブ作成装置であって、単一のページに複数の部品ファイルが含まれるとともに、当該複数の部品ファイルに、前記仕上りページ全体を占める画像部品のデータファイルであるページ部品ファイルと、前記仕上りページ内の一部を占める画像部品のデータファイルである部分部品ファイルとが含まれる場合に、当該部分部品ファイルに対応する画像部品の前記ページにおける配置位置を指定する位置ファイルを有し、前記位置ファイルのファイル名における前記所定の文字位置にもページ番号が含まれるものであり、前記ページ番号取得手段が、指定された前記文字位置を参照して前記位置ファイルのファイル名からもページ番号を取得するものであり、前記位置指定ファイル生成手段が、さらに、前記位置ファイルにも基づいて、前記ページ番号のページにおける前記位置指定ファイルを生成するものである。
【００１１】
また、請求項４の発明は、ページ構造を有し、画像部品を含む印刷物のジョブの基になるジョブデータを作成する印刷ジョブ作成方法であって、前記画像部品のデータファイルである部品ファイルのファイル名における所定の文字位置に、前記画像部品の含まれるページのページ番号が含まれるものであり、前記文字位置を指定するための文字位置指定工程と、指定された前記文字位置を参照して部品ファイルのファイル名からページ番号を取得するページ番号取得工程と、前記ジョブにおける前記ページ番号のページに、前記部品ファイルを関連付けることによって前記ジョブデータを作成する関連付け工程と、前記ジョブのジョブ名を指定するジョブ名指定工程と、を備え、前記関連付けが、指定されたジョブ名に対応するジョブ記憶領域内の前記ページ番号に対応するページ記憶領域への保存であり、当該保存により前記ジョブ記憶領域に前記ジョブデータが作成される。
【００１２】
また、請求項５の発明は、ページ構造を有し、画像部品を含む印刷物のジョブの基になるジョブデータをコンピュータによって作成するためのプログラムを記録した記録媒体であって、前記画像部品のデータファイルである部品ファイルのファイル名における所定の文字位置に、前記画像部品の含まれるページのページ番号が含まれるものであり、前記文字位置を指定するための文字位置指定機能と、指定された前記文字位置を参照して部品ファイルのファイル名からページ番号を取得するページ番号取得機能と、前記ジョブにおける前記ページ番号のページに、前記部品ファイルを関連付けることによって前記ジョブデータを作成する関連付け機能と、前記ジョブのジョブ名を指定するジョブ名指定機能と、を実現させるプログラムを記録しており、前記関連付けが、指定されたジョブ名に対応するジョブ記憶領域内の前記ページ番号に対応するページ記憶領域への保存であり、当該保存により前記ジョブ記憶領域に前記ジョブデータが作成される。
【００１４】
また、請求項６の発明は、請求項５に記載の記録媒体であって、前記ジョブデータにおける台紙領域中での仕上りページの位置のオフセットを指定するオフセット指定機能と、指定された前記オフセットを基に、前記部品ファイルに対応する画像部品の前記台紙領域内での配置位置を指定する位置指定ファイルを生成する位置指定ファイル生成機能と、を実現させるプログラムを記録しており、前記関連付け機能が、得られた前記位置指定ファイルを前記ジョブにおける前記ページ番号のページに関連付けるものである。
【００１５】
さらに、請求項７の発明は、請求項６に記載の記録媒体であって、単一のページに複数の部品ファイルが含まれるとともに、当該複数の部品ファイルに、ページ全体を占める画像部品のデータファイルであるページ部品ファイルと、ページ内の一部を占める画像部品のデータファイルである部分部品ファイルとが含まれる場合に、当該部分部品ファイルに対応する画像部品の前記ページにおける配置位置を指定する位置ファイルを有し、前記位置ファイルのファイル名における前記所定の文字位置にもページ番号が含まれるものであり、前記ページ番号取得機能が、指定された前記文字位置を参照して前記位置ファイルのファイル名からもページ番号を取得するものであり、前記位置指定ファイル生成機能が、さらに、前記位置ファイルにも基づいて、前記ページ番号のページにおける前記位置指定ファイルを生成するものである。
【００１６】
【発明の実施の形態】
以下、この発明の実施の形態について図面を参照しつつ説明する。
【００１７】
＜１．第１の実施の形態＞
＜＜１−１．装置構成＞＞
図１はこの発明の一実施の形態である製版・印刷システム１のシステム構成を示す図である。以下、図１を用いて、製版・印刷システム１のシステム構成について説明する。
【００１８】
製版・印刷システム１はコンピュータを備えるクライアントシステム１０、印刷ジョブ作成装置２０、イメージセッター３０、プリンタ４０および製版編集装置５０が通信線ＣＬで接続されたコンピュータシステムになっている。なお、この通信線ＣＬはインターネット等の外部のネットワークとも接続されている。
【００１９】
クライアントシステム１０は、印刷依頼者の有するコンピュータシステムであり、ページ構造を有するネイティブデータＮＤを作成可能な各種アプリケーションソフトを備えている。さらに、それらアプリケーションソフトが出力する、個別にフォーマットが異なるネイティブデータＮＤを変換して、ページ構造は失われたが、ページに関する情報はファイル名に残されている共通フォーマットのデータであるドキュメントデータＤＤを作成することができる。また、そうして得られたドキュメントデータＤＤを、後述する印刷ジョブ作成装置２０のハードディスク２２に転送することができる。
【００２０】
印刷ジョブ作成装置２０は、印刷業者が有する内部にネットワークＩ／Ｆ２１、ハードディスク２２、ＲＡＭ２３、ＲＯＭ２４、ＣＰＵ２５、磁気ディスクやＣＤ−ＲＯＭ等の記録媒体１００に対して読み書きを行うディスクドライブ２６等の内部構成と、ディスプレイ２７、キーボード２８、マウス２９等の周辺機器を備えたコンピュータを備え、後に詳述するように、印刷出力のジョブデータＪＤを作成する。
【００２１】
さらに、イメージセッター３０、プリンタ４０等の出力装置は印刷ジョブ作成装置２０によって作成されたジョブに基づいて製版フィルムの出力や試し刷りを行ったりすることができ、製版編集装置５０は作成されたジョブデータＪＤをさらに編集したりすることができる。
【００２２】
図２は印刷ジョブ作成装置２０の機能を説明するための機能ブロック図である。印刷ジョブ作成装置２０において、ハードディスク２２内にクライアントシステム１０からのページファイルを一時的に記憶するテンポラリエリア２０１と、投入されたジョブに対するジョブデータＪＤを記憶するジョブ記憶エリア２０２とを備えるとともに、印刷ジョブ作成プログラムをＣＰＵが実行することによって実現される機能である条件設定部２０３、ページ番号取得部２０４、部品振り分け部２０５、ＰＯＭファイル作成部２０６およびジョブ制御部２０７を備えている。
【００２３】
この製版・印刷システム１はページ構造を有する印刷物の印刷出力のための一連の処理であるジョブ（正確にはそのジョブデータＪＤ）を作成し、場合によっては出力を行うシステムである。なお、この実施の形態における印刷ジョブ作成処理とは、投入されたジョブに対するジョブディレクトリ内の各ページディレクトリに、画像部品（後述の線画や絵柄等）のファイルである部品ファイルを割り振った状態でジョブデータを作成する処理をいう。
【００２４】
そのジョブの作成に当たり、印刷ジョブ作成装置２０が各部の制御を行う。具体的には、まず、クライアントシステム１０から、印刷物の基になるドキュメントデータＤＤが共通のフォーマット（この実施の形態ではTiffIT形式）で送られる。その際、ハードディスク２２内のテンポラリエリア２０１に後述するようにして設定される処理対象ディレクトリ名が付与されたディレクトリが作成され、その処理対象ディレクトリＤＲ１にドキュメントデータＤＤが保存される。
【００２５】
また、ドキュメントデータＤＤの保存に伴い、印刷ジョブ作成装置２０にはオペレーターによって、その印刷出力のためのジョブが投入される。それにより、ジョブ記憶エリア２０２には、ジョブ制御部２０７によって、そのジョブに対応するジョブディレクトリＤＲ２が自動的に生成され、さらに、そのジョブディレクトリＤＲ２内に各ページに対応するページディレクトリＤＲ３が自動的に生成される。なお、ジョブディレクトリＤＲ２のディレクトリ名はそのジョブのジョブ名（図２ではジョブ名：ＡＢＣ）であり、各ページに対応するページディレクトリＤＲ３のディレクトリ名はページ番号となっている。すなわち、各ページディレクトリＤＲ３は、
（固定値）／ジョブ名／ページ番号
として一意に指定される。
【００２６】
図３は振り分け処理を説明するための図である。ところで、ドキュメントデータＤＤには線画、絵柄といった画像部品を生成する基になるデータのファイルである部品ファイル（TiffIT形式におけるＬＷファイル、ＣＴファイル）と、ページ中における絵柄の位置を記述したデータのファイルである位置ファイル（TiffIT形式におけるＰＧファイル）が含まれている。これらのうち、部品ファイルはジョブ実行の際には、その画像部品が含まれるページのページディレクトリＤＲ３内に保存される必要がある。そのため、図３に示すように、印刷ジョブ作成装置２０の部品振り分け部は、ジョブが投入されると、テンポラリエリア２０１に格納された印刷物の部品ファイルＬＷ１，ＣＴ１…ＣＴＺを、対応するジョブディレクトリＤＲ２内の対応するページディレクトリＤＲ３に自動的に振り分けて保存する（関連づける）。この処理が振り分け処理である。
【００２７】
なお、図２において、条件設定部２０３は、部品ファイルの振り分け条件を、オペレーターの入力により設定する（後述）。ページ番号取得部２０４は、各部品ファイルおよび各位置ファイルのファイル名に含まれるページ番号を振り分け条件に従って抽出する（後述）。ＰＯＭファイル作成部２０６は、ＰＯＭファイルＰＯ１…ＰＯＺの作成処理を行う。ここで、ＰＯＭファイルとは製版出力における台紙領域に対する各画像部品の位置を特定するデータのファイルである。ジョブ制御部２０７は、各部品ファイルが振り分けられ、必要な場合にはＰＯＭファイルも作成された各ページディレクトリに保存されるジョブデータＪＤを完成させる。また、場合によってはそのジョブデータＪＤに基づいてジョブを実行して、イメージセッター３０、プリンタ４０等の出力装置により順次出力するよう制御する。
【００２８】
なお、印刷ジョブ作成装置２０にはこれらの機能を実現する印刷ジョブ作成プログラムがインストールされハードディスク２２に記憶されている。なお、印刷ジョブ作成プログラムはＣＤ−ＲＯＭや磁気ディスクによって提供されたものをディスクドライブ２６を介して読み取ったり、伝送媒体としての通信線ＣＬを介して図示しないサーバから提供されたものを読み込んだりして、インストールしたりアップデートしたりできるものとなっている。
【００２９】
＜＜１−２．印刷ジョブ作成処理＞＞
以下、印刷ジョブ作成装置２０における、印刷ジョブ作成プログラムが実行されることによる、上記振り分け処理を含んだジョブ作成処理について説明する。図４は印刷ジョブ作成処理の手順を示すフローチャートである。
【００３０】
まず、上述のようにオペレーターがテンポラリエリア２０１に転送されたドキュメントデータＤＤに対応するジョブを投入する（図４：ステップＳ１）。
【００３１】
つぎに、上述の振り分け処理における各種条件である部品ファイルの振り分け条件をオペレーターが入力する（図４：ステップＳ２）。
【００３２】
具体的には、条件設定部２０３がディスプレイ２７に以下に示す振り分け設定画面３００を表示し、その表示に基づいてオペレーターがキーボード２８やマウス２９といった入力手段を用いて部品ファイルの振り分け条件を設定する。
【００３３】
図５は振り分け設定画面３００を示す図である。図５に示すように、振り分け設定画面３００には処理対象ディレクトリＤＲ１、ジョブ名、ページ番号の開始位置、ページ番号の終了位置、ＰＯＭファイル作成の要否、さらにはＰＯＭファイルを作成する場合には貼り込みオフセットを、それぞれ設定するための設定項目が表示されている。
【００３４】
ここで、処理対象ディレクトリＤＲ１とは、ジョブの対象となるドキュメントデータＤＤが保存されているテンポラリエリア２０１内のディレクトリを表わし、そのディレクトリ名を入力欄Ｃ１に入力する。なお、ジョブ投入時には当然ながら振り分けられる部品ファイルも処理対象ディレクトリＤＲ１に保存されている。
【００３５】
ジョブ名とは、処理対象のジョブの名称であり、そのジョブ名を入力欄Ｃ２に入力する。
【００３６】
ところで、以下に示すように、各部品ファイルのファイル名には、その部品ファイルが貼り付けられるべきページを特定するためのページ番号が含まれ、各位置ファイルのファイル名にも、その位置ファイルが対応するページ番号が含まれている。そして、そのページ番号は、部品ファイルおよび位置ファイルのファイル名における共通のページ番号記入位置である番号位置（本発明の文字位置に相当）に含まれている。
【００３７】
ここで、ファイル名の構造について説明する。図６はファイル名の構造およびページ番号位置を説明するための図である。この実施の形態では部品ファイルおよび位置ファイルのファイル名は図６のような構造になっている。ここで、XXXXXはファイル名に使用可能な文字のうちの任意の５文字を表わしており、番号位置ＮＰにページ番号が含まれている。
【００３８】
この実施の形態における印刷ジョブ作成装置２０では、このようなファイル名中におけるページ番号の番号位置ＮＰをオペレーターが振り分け設定画面３００を通じて指定することができるようになっている。つまり、ページ番号開始位置およびページ番号終了位置とは、その各ファイル名に含まれるページ番号の番号位置を特定するための開始位置と終了位置を入力する項目であり、先頭からの文字数を、ページ番号開始位置とページ番号終了位置の入力欄Ｃ４およびＣ５にそれぞれ入力することによって指定できる。なお、この設定はオペレーターが部品ファイルや位置ファイルのファイル名を視認して、番号位置を特定して行う。
【００３９】
ＰＯＭファイル作成の要否はチェックボックスＣＸをチェックするか否かによって指定でき、それをチェックした場合にはＰＯＭファイルが自動作成され、チェックを外すとＰＯＭファイルが自動作成されない。なお、ＰＯＭファイルを自動作成しない場合には後のジョブ実行の際にオペレーターが手動で作成する。
【００４０】
図７は台紙領域と画像部品および仕上りページ領域との位置関係を示す図である。前述のように、ＰＯＭファイルは台紙領域３０１に対する各画像部品の位置を特定するデータであるが、多色版を重ねて印刷を行うための製版工程においては、レジスタマーク３０２やブリード３０３（断裁用余白）等の製版のための画像や領域を仕上りページ領域３０４外に設ける必要がある。そのため、それらを有する台紙領域３０１に各ページの各画像部品（実際にはそれらのデータ）を貼り付ける必要がある。
【００４１】
その場合、各ページに共通にそれらの製版のための画像や領域に当たる分のオフセットＯＳだけ画像部品の位置（座標値）を変位させる必要がある。したがって、ＰＯＭファイル作成を選択した場合にはそのような貼り込みオフセットのＸ座標値およびＹ座標値を入力欄Ｃ６およびＣ７にそれぞれ入力する。なお、このオフセットの設定はレジスタマーク３０２やブリード３０３の有無によってオペレーターが調節して設定する。
【００４２】
そして、以上の入力が終了すると設定ボタンＳＢをマウス２９によりクリックすることにより、以上の内容が設定され、所定の設定ファイルとしてハードディスク２２内に保存され、逆にキャンセルボタンＣＢをマウス２９によりクリックすると設定は破棄される。なお、この設定ファイルは再度設定（ファイルの書き直し）を行わない限り、保持される。
【００４３】
つぎに、部品振り分け部２０５が部品ファイルの振り分け処理を行う（図４：ステップＳ３）。図８は部品ファイルの振り分け処理の詳細手順を示すフローチャートである。
【００４４】
まず、振り分けを行うべき全ファイルのファイル名を処理対象ディレクトリＤＲ１から取得する（図８：ステップＳ３１）。ただし、ここで取得されるファイル名は部品ファイルについてのものでり、位置ファイルのファイル名は含まれない。位置ファイルは後述するようにＰＯＭファイルの作成にのみ用いられ、直接振り分けられることはないためである。また、ここで得られた全ファイル名はテンポラリエリア２０１内の所定のアドレスまたはＲＡＭ２３の図示しないファイル名記憶エリアに記憶される。
【００４５】
つぎに、得られた全ファイル名の中から１ファイル分のファイル名を取得する（図８：ステップＳ３２）。
【００４６】
つぎに、得られた１ファイルのファイル名から、先に設定された振り分け条件からファイル転送先を特定する（図８：ステップＳ３３）。具体的には転送しようとするファイルに対応するジョブ名およびページ番号をファイル名から抽出することによって、転送先のジョブディレクトリ名およびページディレクトリ名を取得する。以下、その詳細手順を説明する。図９は転送先判定処理の詳細手順を示すフローチャートである。
【００４７】
まず、ファイル名のうちページ番号が含まれる番号位置を読む（図９：ステップＳ３３１）。具体的には、上記振り分け設定画面３００において、入力欄Ｃ６ないしＣ７に入力され、指定された番号位置を読み取る。それによって、その部品ファイルが貼り付けられるべきページ番号が得られる。
【００４８】
そして、設定されたジョブ名およびステップＳ３３１で得られたページ番号から転送先ディレクトリ名を作成する（図９：ステップＳ３３２）。具体的には、前述のページディレクトリの指定方法に従って作成する。
【００４９】
図８の説明に戻る。つぎに、得られた転送先ディレクトリ名に対応するページディレクトリに実際にファイルを転送する（図８：ステップＳ３４）。
【００５０】
つぎに、処理対象ディレクトリＤＲ１内の全てのファイルについて転送処理したか否かについて判定を行い（図８：ステップＳ３５）、処理していなければステップＳ３２に戻り、ステップＳ３２〜Ｓ３５の処理を繰り返し、処理していれば次のステップに進む。
【００５１】
最後に、ステップＳ３１で得られた全ファイル名をファイル名記憶エリアから消去する（図８：ステップＳ３６）。
【００５２】
図４の説明に戻る。つぎに、ＰＯＭファイル作成部２０６がＰＯＭファイルを作成し、対応するディレクトリに保存する（図４：ステップＳ４）。
【００５３】
線画ファイルであるＬＷファイルはページ全体を示すデータのファイルであるので、線画ファイルのみの場合には設定されたオフセットＯＳのみを指定するだけで台紙領域３０１に対する仕上りページ領域３０４の位置は特定できる（図７参照）。そのため線画ファイルのみの場合にはＰＧファイルは不要である。
【００５４】
これに対し、絵柄ファイルであるＣＴファイルはページの一部分に相当する部分部品ファイルであるので、線画ファイルと絵柄ファイルとを含む場合には、絵柄ファイルの仕上りページ領域３０４中の位置Ｐを指定する必要がある。そのため、ページ中に絵柄が含まれる場合には、絵柄の仕上りページ領域３０４中の位置Ｐ（図７参照）を指定する位置ファイルであるＰＧファイルも付随して、処理対象ディレクトリＤＲ１に保存される。そのため、ＰＯＭファイルの作成は、これらの事情を考慮して行われる。
【００５５】
図１０はＰＯＭファイル作成および保存処理の手順を示すフローチャートである。以下、図１０を参照しつつＰＯＭファイル作成および保存処理について説明する。
【００５６】
まず、対象ページに対応するＰＧファイルがあるか否かについて判定を行い（図１０：ステップＳ４１）、なければ次のステップＳ４２に進み、なければステップＳ４３に進む。この判定は、処理対象ディレクトリＤＲ１に保存された全ＰＧファイルの番号位置をページ番号取得部２０４が読み取ることによって取得されたページ番号を、ＰＯＭファイル作成部２０６が参照して対象ページに対応するＰＧファイルがあるか否かによって判定される。
【００５７】
ＰＧファイルがない場合、線画のみについてのＰＯＭファイルを作成する（図１０：ステップＳ４２）。
【００５８】
図１１はＰＯＭファイルの構造を示す図であり、図１１（ａ）は線画のみを含む場合のＰＯＭファイルの構造を、図１１（ｂ）は線画および絵柄を含む場合のＰＯＭファイルの構造を示す図である。
【００５９】
図１１（ａ）に示すように、線画のみを含む場合のＰＯＭファイルには、貼り付ける線画ファイル名とその線画ファイルの台紙領域３０１に対する位置を表わす座標値が記入される。また、図１１（ｂ）に示すように、線画および絵柄を含む場合のＰＯＭファイルには、貼り付ける線画ファイル名とその線画ファイルの台紙領域３０１に対する位置を表わす座標値、さらに、貼り付ける絵柄ファイル名とその絵柄ファイルの台紙領域３０１に対する位置を表わす座標値が記入される。
【００６０】
図１２は線画のみについてのＰＯＭファイル作成処理の手順を示すフローチャートである。
【００６１】
まず、対象とするジョブディレクトリＤＲ２の対象とするページディレクトリＤＲ３にデータのない空のＰＯＭファイルを作成する（図１２：ステップＳ４２１）。
【００６２】
つぎに、処理対象ディレクトリＤＲ１に保存された線画ファイルのうち、対象とするページ番号を含む線画ファイル名をＰＯＭファイルへ書き込む（図１２：ステップＳ４２２）。
【００６３】
最後に、振り分け設定画面３００によって設定されたオフセット値をそのまま台紙領域３０１に対する位置を表わす座標値としてＰＯＭファイルへ書き込む（図１２：ステップＳ４２３）。それにより、線画のみについてのＰＯＭファイルが完成し、後に対象とするページディレクトリＤＲ３中に保存される。
【００６４】
図１０の説明に戻る。ＰＧファイルがある場合、すなわち、線画ファイルおよび絵柄を含む場合には、線画および絵柄についてのＰＯＭファイルを作成する（図１０：ステップＳ４３）。
【００６５】
図１３は線画および絵柄についてのＰＯＭファイル作成処理の手順を示すフローチャートである。
【００６６】
まず、対象とするジョブディレクトリＤＲ２の対象とするページディレクトリＤＲ３にデータのない空のＰＯＭファイルを作成する（図１３：ステップＳ４３１）。
【００６７】
つぎに、処理対象ディレクトリＤＲ１に保存された対象とするページ番号を含むＰＧファイルを読み込む（図１３：ステップＳ４３２）。その際、ＰＧファイルのページ番号は、ページ番号取得部２０４が、そのファイル名中の番号位置ＮＰを読み取ることによって取得される。
【００６８】
つぎに、処理対象ディレクトリＤＲ１に保存された線画ファイルのうち、対象とするページ番号を含む線画ファイル名をＰＯＭファイルへ書き込む（図１３：ステップＳ４３３）。
【００６９】
つぎに、設定されたオフセット値をそのまま台紙領域３０１に対する線画ファイルの位置を表わす座標値としてＰＯＭファイルへ書き込む（図１３：ステップＳ４３４）。
【００７０】
つぎに、処理対象ディレクトリＤＲ１に保存された絵柄ファイルのうち、対象とするページ番号を含む絵柄ファイル名をＰＯＭファイルへ書き込む（図１３：ステップＳ４３５）。
【００７１】
つぎに、各絵柄ファイルの台紙領域３０１に対する位置を表わす座標値の計算を行う（図１３：ステップＳ４３６）。具体的には、図７に示すように、読み込まれたＰＧデータから得られた各絵柄ファイルの仕上りページ領域３０４中の位置Ｐ（座標値）と、設定されたオフセットＯＳ（オフセット座標値）とのベクトルの加算を行うことで、台紙領域３０１に対する絵柄ファイルの位置ＣＰを表わす座標値が得られる。
【００７２】
最後に、得られた絵柄ファイルの位置を表わす座標値のＰＯＭファイルへの書き込みを行い（図１３：ステップＳ４３７）、線画および絵柄についてのＰＯＭファイル作成処理を終了する。
【００７３】
図１０の説明に戻る。つぎに、全ページに対してＰＯＭファイルの作成が完了したか否かについて判定を行い（図１０：ステップＳ４４）、完了していなければステップＳ４１に戻り、ステップＳ４１〜Ｓ４４の処理を繰り返し、完了していれば次のステップに進む。
【００７４】
さらに、得られたＰＯＭファイルを対応するジョブディレクトリＤＲ２の対応するページディレクトリＤＲ３に振り分け保存する（図１０：ステップＳ４５）。その際、部品振り分け部２０５が、ＰＯＭファイルのファイル名の番号位置ＮＰに記述されたページ番号を基に、振り分け処理（図４：ステップＳ３）における部品ファイルの振り分けと同様にして行う。以上でＰＯＭファイル作成および保存処理を終了する。
【００７５】
以上でジョブデータＪＤが作成され、印刷ジョブ作成装置２０による印刷ジョブ作成処理が終了した。
【００７６】
なお、この製版・印刷システム１では得られたジョブデータＪＤに基づき、イメージセッター３０により製版フィルムを出力したり、プリンタ４０によって試し刷りを行ったり、さらには製版編集装置５０で編集を行ったりする。
【００７７】
以上、説明したように本発明の上記実施の形態によれば、部品ファイルのファイル名における所定の文字位置である番号位置に、画像部品の含まれるページのページ番号が含まれるものであり、その番号位置を指定するための文字位置指定手段としてのキーボード２８と、指定された番号位置を参照して部品ファイルのファイル名からページ番号を取得するページ番号取得部２０４と、ジョブにおけるページ番号のページに、部品ファイルを関連付けることによってジョブデータＪＤを作成する関連付け手段としての部品振り分け部２０５とを備えるため、振り分け処理を自動化することができ、振り分け処理の作業負担を軽減することができる。
【００７８】
また、ファイル名におけるページ番号が含まれる番号位置を指定できるため、番号位置が固定されている場合に比べて、部品ファイルのファイル名を比較的高い自由度で付けることができる。
【００７９】
また、部品ファイルの上記関連付けが、指定されたジョブ名に対応するジョブディレクトリＤＲ２（ジョブ記憶領域）内のページ番号に対応するページディレクトリＤＲ３（ページ記憶領域）への保存であり、当該保存によりジョブディレクトリＤＲ２にジョブデータＪＤが作成されるため、ジョブが複数投入された場合にも、部品ファイルを対応するジョブの各ページディレクトリＤＲ３へ保存することができる。
【００８０】
また、指定されたジョブデータＪＤにおける台紙領域３０１中での仕上りページ領域の位置のオフセットを基に、部品ファイルに対応する画像部品の台紙領域３０１内での配置位置を指定する位置指定ファイルであるＰＯＭファイルを生成し、得られたＰＯＭファイルをジョブにおけるページ番号のページディレクトリＤＲ３に関連付ける（保存する）ため、製版用のジョブデータＪＤを作成できる。
【００８１】
また、単一のページに複数の部品ファイルが含まれるとともに、当該複数の部品ファイルに、仕上りページ領域全体を占める画像部品のデータファイルであるページ部品ファイル（ＬＷファイル）と、仕上りページ領域内の一部を占める画像部品のデータファイルである部分部品ファイル（ＣＴファイル）とが含まれる場合に、当該部分部品ファイルに対応する画像部品のページにおける配置位置を指定する位置ファイル（ＰＧファイル）を有し、位置ファイルにも基づいて、ＰＯＭファイルを生成するため、部分部品ファイルを含む場合にも、それらの画像部品を正確な位置に配置したジョブを作成できる。
【００８２】
さらに、印刷ジョブ作成プログラムを記録した記録媒体１００によれば、そのようなプログラムをコンピュータにより読み取って実行させることにより、印刷ジョブ作成装置２０と同様の機能を実現し、それと同様の効果を奏するものとすることができる。
【００８３】
＜２．変形例＞
上記実施の形態において印刷ジョブ作成装置２０、印刷ジョブ作成方法および記録媒体の例を示したが、この発明はこれに限定されるものではない。
【００８４】
例えば、上記実施の形態の製版・印刷システムでは、クライアントシステムが、ネイティブデータＮＤを共通フォーマットのドキュメントデータＤＤに変換して、印刷ジョブ作成装置２０のテンポラリエリア２０１に転送するものとしたが、印刷ジョブ作成装置がそのような変換ソフトにより実現される変換機能を備え、クライアントシステム１０から送られてきたネイティブデータＮＤをドキュメントデータＤＤに変換した後にテンポラリエリア２０１に保存し、それに対して振り分け処理を行うものとしてもよい。
【００８５】
【発明の効果】
以上説明したように、請求項１ないし請求項３の発明によれば、部品ファイルのファイル名における所定の文字位置に、画像部品の含まれるページのページ番号が含まれるものであり、文字位置を指定するための文字位置指定手段と、指定された文字位置を参照して部品ファイルのファイル名からページ番号を取得するページ番号取得手段と、ジョブにおけるページ番号のページに、部品ファイルを関連付けることによってジョブデータを作成する関連付け手段とを備えるため、振り分け処理を自動化することができ、振り分け処理の作業負担を軽減することができる。
【００８６】
また、請求項１ないし請求項４の発明によれば、ファイル名におけるページ番号が含まれる文字位置を指定できるため、文字位置が固定されている場合に比べて、部品ファイルのファイル名を比較的高い自由度で付けることができる。
【００８７】
また、請求項１ないし請求項４の発明によれば、関連付けが、指定されたジョブ名に対応するジョブ記憶領域内のページ番号に対応するページ記憶領域への保存であり、当該保存によりジョブ記憶領域にジョブデータが作成されるため、ジョブが複数投入された場合にも、部品ファイルを対応するジョブの各ページ記憶領域へ保存することができる。
【００８８】
また、特に請求項２および請求項３の発明によれば、指定されたジョブデータにおける台紙領域中での仕上りページの位置のオフセットを基に、部品ファイルに対応する画像部品の台紙領域内での配置位置を指定する位置指定ファイルを生成し、得られた位置指定ファイルをジョブにおけるページ番号のページに関連付けるため、製版用のジョブデータを作成できる。
【００８９】
また、特に請求項３の発明によれば、単一のページに複数の部品ファイルが含まれるとともに、当該複数の部品ファイルに、仕上りページ全体を占める画像部品のデータファイルであるページ部品ファイルと、仕上りページ内の一部を占める画像部品のデータファイルである部分部品ファイルとが含まれる場合に、当該部分部品ファイルに対応する画像部品のページにおける配置位置を指定する位置ファイルを有し、位置ファイルにも基づいて、位置指定ファイルを生成するため、部分部品ファイルを含む場合にも、それらの画像部品を正確な位置に配置したジョブを作成できる。
【００９０】
さらに、請求項５ないし請求項７の発明によれば、コンピュータによって請求項１ないし請求項３それぞれの各手段の機能を実現するプログラムを記録しているため、そのようなプログラムをコンピュータにより読み取って実行させることにより、それぞれ請求項１ないし請求項３の発明と同様の効果を奏する。
【図面の簡単な説明】
【図１】この発明の一実施の形態である製版・印刷システムのシステム構成を示す図である。
【図２】印刷ジョブ作成装置の機能を説明するための機能ブロック図である。
【図３】振り分け処理を説明するための図である。
【図４】印刷ジョブ作成処理の手順を示すフローチャートである。
【図５】振り分け設定画面を示す図である。
【図６】ファイル名の構造およびページ番号位置を説明するための図である。
【図７】台紙領域と画像部品およびページとの位置関係を示す図である。
【図８】部品ファイルの振り分け処理の詳細手順を示すフローチャートである。
【図９】転送先判定処理の詳細手順を示すフローチャートである。
【図１０】ＰＯＭファイル作成および保存処理の手順を示すフローチャートである。
【図１１】ＰＯＭファイルの構造を示す図である。
【図１２】線画のみについてのＰＯＭファイル作成処理の手順を示すフローチャートである。
【図１３】線画および絵柄についてのＰＯＭファイル作成処理の手順を示すフローチャートである。
【符号の説明】
１  製版・印刷システム
２０  印刷ジョブ作成装置
２８  キーボード（文字位置指定手段、ジョブ名指定手段、オフセット指定手段）
１００  記録媒体
２０１  テンポラリエリア
２０２  ジョブ記憶エリア
２０３  条件設定部
２０４  ページ番号取得部
２０５  部品振り分け部（関連付け手段）
２０６  ＰＯＭファイル作成部（位置指定ファイル生成手段）
３０１  台紙領域
３０４  仕上りページ領域
ＤＤ  ドキュメントデータ
ＤＲ１  処理対象ディレクトリ
ＤＲ２  ジョブディレクトリ（ジョブ記憶領域）
ＤＲ３  ページディレクトリ（ページ記憶領域）
ＪＤ  ジョブデータ
ＬＷ１，ＣＴ１…ＣＴＺ  部品ファイル
ＮＰ  番号位置（文字位置）
ＰＧ１  位置ファイル
ＰＯ１…ＰＯＺ  ＰＯＭファイル（位置指定ファイル）
【図１】
0003827903.tif 000002
【図２】
0003827903.tif 000003
【図３】
0003827903.tif 000004
【図４】
0003827903.tif 000005
【図５】
0003827903.tif 000006
【図６】
0003827903.tif 000007
【図７】
0003827903.tif 000008
【図８】
0003827903.tif 000009
【図９】
0003827903.tif 000010
【図１０】
0003827903.tif 000011
【図１１】
0003827903.tif 000012
【図１２】
0003827903.tif 000013
【図１３】
0003827903.tif 000014